(57)【要約】【課題】ケースの下部から液を周囲に飛散させることなく抜き取ること。【解決手段】ケース（１）にシールして固定する取付板（２）にドリル通過孔（３）を有し、取付板（２）には開閉可能なゲートバルブ（５）の出口（１５）側をドリル通過孔（３）に連通して固定し、ゲートバルブの入口（１４）と出口（１５）とドリル通過孔（３）とを一直線に配置し、軸部（２２）の先に刃部（２３）を有するドリル（７）を、閉状態のゲートバルブの入口に筒状のソケット（６）を介して着脱可能に連結し、ソケット（６）とドリルの軸部（２２）との間のシールによってゲートバルブの入口（１４）側を閉鎖しつつ、ソケット（６）内から開状態のゲートバルブ（５）内に通したドリル（７）を、ドリル通過孔（３）に向かって移動可能に設ける液抜き装置。【選択図】　　　図１
2004090166.tif 000002
【特許請求の範囲】
【請求項１】
ケース（１）にシールして固定する取付板（２）にドリル通過孔（３）を有し、取付板（２）には開閉可能なゲートバルブ（５）の出口（１５）側をドリル通過孔（３）に連通して固定し、ゲートバルブの入口（１４）と出口（１５）とドリル通過孔（３）とを一直線に配置し、軸部（２２）の先に刃部（２３）を有するドリル（７）を、閉状態のゲートバルブの入口に筒状のソケット（６）を介して着脱可能に連結し、ソケット（６）とドリルの軸部（２２）との間のシールによってゲートバルブの入口（１４）側を閉鎖しつつ、ソケット（６）内から開状態のゲートバルブ（５）内に通したドリル（７）を、ドリル通過孔（３）に向かって移動可能に設ける液抜き装置。
【請求項２】
刃部（２３）は、筒状刃（２６）の内側に、孔あけ時の位置決め用のねじれ刃（２４）を有し、筒状刃（２６）とねじれ刃（２４）の間に切断片除去スプリング（２５）を、ドリル（７）の長手方向に沿って伸縮自在に設けることを特徴とする請求項１記載の液抜き装置。
【請求項３】
ドリル（７）は、軸部（２２）の外径よりも、筒状刃（２６）の外径を大径に設けることを特徴とする請求項２記載の液抜き装置。
【請求項４】
漏れ液を溜める液受け（８）を取付板（２）に、ゲートバルブ（５）の外側を覆う状態で固定し、取付板（２）と液受け（８）で密閉容器を形成し、ドリルの軸部（２２）を液受け（８）の外側にシールしつつ突出し、液受け（８）は、その外側からゲートバルブの操作部（１７）を操作可能な柔軟性を有することを特徴とする請求項１記載の液抜き装置。
【発明の詳細な説明】
【０００１】
【発明の属する技術分野】
本発明は、ケースの下部にバルブを取り付け、バルブに通じる液抜き穴をケースにあける液抜き装置に関する。
【０００２】
【従来の技術】
液を溜めるケースの下部には、通常、バルブが付いており、このバルブを開くことによって液を抜くことができる。しかし、長期間の未使用によってバルブが開かないときもある。このときにはケースの下部に抜穴をあければ、動力を用いることなく液を自然に抜くことができる。但し、抜穴を単にあけるだけでは、液が周囲に飛び散るおそれがある。液が有害な場合（例えば変圧器内のＰＣＢ入り絶縁油）は、作業員の身体に悪影響を与えることが懸念される。従って、ケース内の液を周囲に飛散させずに抜くことが求められる。
【０００３】
【発明が解決しようとする課題】
本発明は上記実情を考慮して開発されたもので、その課題は、ケースから液を周囲に飛散させることなく抜き取ることである。
【０００４】
また、液を早く抜くには円筒状のドリルで大きな抜穴をあければ良いが、孔あけ加工の際には円形の切断片ができる。孔あけ加工時には円筒状のドリルをケースに押し付ける動きによって、切断片をケース内に押し込むが、その際に切断片がドリルの先に乗っかった状態となり、ケースからドリルを抜く動きに伴って切断片が抜穴に嵌り、液が抜け難くなることがある。
【０００５】
請求項２に係る発明の課題は、切断片をドリルの先から離れた箇所に移動させることである。
【０００６】
【課題を解決するための手段】
請求項１に係る発明は、ケースにシールして固定する取付板にドリル通過孔を有し、取付板には開閉可能なゲートバルブの出口側をドリル通過孔に連通して固定し、ゲートバルブの入口と出口とドリル通過孔を一直線に配置し、軸部の先に刃部を有するドリルを、閉状態のゲートバルブの入口に筒状のソケットを介して着脱可能に連結し、ソケットとドリルの軸部との間のシールによってゲートバルブの入口側を閉鎖しつつ、ソケット内から開状態のゲートバルブ内に通したドリルを、ドリル通過孔に向かって移動可能に設けてある。
【０００７】
刃部は、ケースにあける抜き穴径が小径の場合は、単なるねじれ刃のみであっても良いが、抜き穴径が大径の場合には、ねじれ刃を孔あけ時の位置決め用とし、その外側に同一中心を有する筒状刃を配置することが望ましい。そして、液抜き穴をあける際にできる円形の切断片によって、液抜き穴が塞がれるのを阻止するには、請求項２に係る発明のように、刃部は、筒状刃の内側に孔あけ時の位置決め用のねじれ刃を有し、筒状刃とねじれ刃の間に切断片除去スプリングを、ドリルの長手方向に沿って伸縮自在に設けることが望ましい。
【０００８】
ドリルは軸部と刃部を同一の外径に形成しても良いが、この場合は、ケースに液抜き穴をあけた後に、ドリルを引き抜くストロークを長くすると、ドリルがソケット内を通過して外れ、ソケットから液が漏れ出るおそれがある。このような不都合を防ぐには、請求項３に係る発明のように、ドリルは、軸部の外径よりも、筒状刃の外径を大径に設けることが望ましい。
【０００９】
また、ゲートバルブから万一、液が漏れた場合に、その液が周囲に飛散するのを防ぐには、ゲートバルブを覆っておくことが望ましい。具体的な一例としては、請求項４に係る発明のように、漏れ液を溜める液受けを取付板に、ゲートバルブの外側を覆う状態で固定し、取付板と液受けで密閉容器を形成し、ドリルの軸部を液受けの外側にシールしつつ突出し、液受けは、その外側からゲートバルブの操作部を操作可能な柔軟性を有するものが挙げられる。なお、液受けは、透明なものであることが望ましく、このようにすれば、漏れ液の溜まり具合や、操作部が視認できる。
【００１０】
また、別の例としては、漏れ液を溜める液受けを取付板に固定し、取付板と液受けで密閉容器を形成し、液受けの内側にゲートバルブのバルブ本体を収容すると共に、液受けの外側にゲートバルブの操作部及びドリルの軸部をシールしつつ突出するものでも良い。
【００１１】
【発明の実施の形態】
本発明の液抜き装置は図１に示すように、ケース１の底面に固定する取付板２にドリル通過孔３をあけ、ドリル通過孔３に連通する直管４を取付板２から垂下し、直管４の下端部にゲートバルブ５をねじ込んで固定し、閉状態のゲートバルブ５の下端部にソケット６を介してドリル７を着脱可能に連結し、ソケット６とドリル７との間のシールによってゲートバルブ５の入口側を閉鎖しつつ、ソケット６内から開状態のゲートバルブ５内を通したドリル７を、ドリル通過孔３に向かって移動可能に設け、ゲートバルブ５の外側を覆う液受け８を取付板２に固定し、ドリル７を液受け８の外側にシールしつつ突出してある。、
【００１２】
取付板２は、ドリル通過孔３の周囲にボルト挿入孔９をあけ、ボルト挿入孔９にはケース底面から突き出すボルト１０を通し、ナット１１を締めて固定する。また、ドリル通過孔３の外側を囲むガスケット１２を、取付板２とケース底面の間に挟持してシールする。
【００１３】
直管４はその上端部をドリル通過孔３に連通する状態で取付板２に溶着し、その下端部に雄ネジを有する。
【００１４】
ゲートバルブ５は、筒状のバルブ本体１３を、直管４及びドリル通過孔３に対して一直線に配置し、バルブ本体１３の下端開口部を入口１４とし、上端開口部を出口１５とし、入口１４と出口１５に雌ネジをそれぞれ有する。また、バルブ本体１３の高さ中間部から筒状のガイド１６を横向きに突出し、ハンドル状の操作部１７から突き出すロッド１８をガイド１６にねじ込み、ガイド１６に沿ってロッド１８を移動可能に設け、ロッド１８の先に弁１９を連結し、ガイド１６内からバルブ本体１３内に向かって弁１９を出し入れ可能とし、弁１９で入口１４と出口１５の間を開閉する。
【００１５】
ソケット６は図２に示すように、下部の外径が広い筒状で、上部に雄ネジを有し、下部内側にはドリル７とのシールを図るＯリング２０を有し、下端にねじ込んだ止め具２１でＯリング２０を固定してある。また、ソケット６は上部内にドリルの刃部２３を収容可能なもので、これによって刃部２３内に溜まった液をソケット６外に漏らすことなく、ゲートバルブ５からソケット６を取り外すことができる。
【００１６】
ドリル７は図１又は図２に示すように、軸部２２の先に刃部２３を連結したもので、軸部２２の末端部分に図示しない駆動装置（モータ）を連結する。刃部２３は、ねじれ刃２４と、ねじれ刃２４の外側を囲む伸縮自在な切断片除去スプリング２５と、切断片除去スプリング２５の外側を囲む筒状刃２６とから構成され、ねじれ刃２４及び切断片除去スプリング２５を筒状刃２６よりもケース側に突出してある。
【００１７】
ねじれ刃２４は、孔あけ時の位置決めの役割を果たすもので、その下部を軸部２２の先端中央にあけた穴２７に挿入し、軸部２２の抜穴２８と刃部２３の抜穴２９を一致させて、ボルト・ナットで連結する。
【００１８】
切断片除去スプリング２５は、ねじれ刃２４に沿って伸縮自在に設けたもので、ねじれ刃２４の長さ中間部に有する環状溝３０に、その下端部を嵌め込んで連結する。
【００１９】
筒状刃２６は、先部の外周に沿って斜め刃３１を複数有し、下部の底には雌ネジ３２をあけ、軸部２２の先端部の雄ネジ３３にねじこんで連結する。また、筒状刃２６は、軸部２２よりも外径を大径に形成し、ケース１に液抜き穴３４をあけた後にドリル７を後退させても、ソケット６からドリル７が外れないようにしてある。
【００２０】
液受け８は図１に示すように、上端が開口した容器状で、その上端に有するフランジ３５を取付板２から垂下するボルトにナットで固定し、取付板２とフランジ３５との間にガスケット３６を挟み、開口した上端を取付板２で塞ぐことによって密閉容器となる。底部には、筒状のシール部材３７を有し、軸部２２をシールするＯリング３８をその内側に収容し、下端部に連結した止め具３９でＯリング３８を支持する。また、底部には補助バルブ４０が付いており、補助バルブ４０が閉状態のときに液受け８に溜まった液を、補助バルブ４０を開いて抜き取る。液受け８の材料には、図６に示すように外側から操作部１７を操作可能な柔軟性を有するもの（ゴム状のもの）を用いる。
【００２１】
上述した液抜き装置は以下の要領で使用する。先ず、ケース１がＰＣＢ液入り変圧器である場合には、変圧器をリフト等で持ち上げて架台の上に載せ、ケース１と床との間に作業スペースを作る。次に、ケース１の底の塗料を取り除いて、図３に示すようにケース１の底にボルト１０をスタッド溶接する。次に図４に示すように、取付板２にガスケット１２を載せ、ボルト挿入孔９にボルト１０を通し、ナット１１を締め付けて取付板２をケース底面に固定することによって、取付板２のドリル通過孔３に対して直管４、ゲートバルブ５が連通した状態とする。続いて図５に示すように、ドリル７を通したソケット６を、ゲートバルブ５の入口１４にねじ込んで固定し、さらに液受け８のフランジ３５を、取付板２から突出するボルトにナットで固定して取付が完了する。そして、図６に示すように、外側から液受け８ごと操作部１７を掴み、操作部１７を回して弁１９を後退させ、ゲートバルブ５を開く。続いて図１に示すように、ドリル７をドリル通過孔３に向かって前進させ、ドリル７の回転によって刃部２３でケース１底面に液抜き穴３４をあける。液抜き穴３４をあける際には、ねじれ刃２４によって位置決めして筒状刃２６が切断片４１を形成するが、ドリル７の前進に伴ってねじれ刃２４が切断片４１の中央部に相当する箇所に小孔４２をあけ、切断片除去スプリング２５がケース１に押し付けられて縮む。そして、液抜き穴３４の貫通した直後に、切断片除去スプリング２５が復元力によって伸びて、切断片４１をケース１内に強制的に押し込む。その後、図７に示すように、ドリル７を後退させてソケット６内にドリル７の刃部２３を収容し、操作部１７を回してゲートバルブ５を閉じ、液が漏れない状態とする。続いて、液受け８、ソケット６を順次外して、ドリル７をゲートバルブ５から取り外し、ゲートバルブ５の入口１４に液抜き用配管４３を接続し、液抜き用配管４３を図示しないタンクに繋げる。なお、液受け８を外す前に、液受け８の補助バルブ４０を開いて、液が溜まっていればタンクへ回収し、液受け８に液が溜まってない状態とする。最後に、ゲートバルブ５を開いて、ケース１内の液を抜く。
【００２２】
本発明は上記実施形態に限定されない。例えば、図示しないが、ゲートバルブのロッドを液受けの外側にシール部材を介して突出し、操作部を液受けの外側に配置したものであっても良い。このようにすれば、液受けが変形不能なものであっても、操作部を操作できる。
【００２３】
【発明の効果】
請求項１に係る発明は、取付板を介してゲートバルブをケースにシールして固定し、ソケットとドリルの軸部のシールによってゲートバルブの入口側を閉鎖しつつ、ゲートバルブ内を通したドリルをドリル通過孔に向かって移動可能に設けてあるので、ケースに液抜き穴をあけても、取付板とケースとの間、並びにゲートバルブの入口側から液は漏れない。そして、ソケットを外すときには、ゲートバルブを閉状態にできるので、ゲートバルブからドリルを取り外す際にも、ゲートバルブから液が漏れない。従って、ドリルを外した後に、ゲートバルブを開状態にすれば、ケースから液を周囲に飛散させることなく抜き取ることができる。
【００２４】
請求項２に係る発明は、ドリルを回転させながら前進させると、ねじれ刃によって孔あけ位置が決まり、その孔あけ位置に小孔が形成されながら筒状刃によって液抜き穴並びに円形の切断片が形成されていき、しかも、ねじれ刃と筒状刃の間の切断片除去スプリングがケースに押し付けられて縮むことから、液抜き穴が貫通した直後に、スプリングが伸びて切断片をケース内に押し飛ばすことになる。従って、液抜き穴が切断片によって塞がれることを防げる。
【００２５】
請求項３に係る発明は、軸部の外径よりも筒状刃の外径を大径に設けてあるので、ケースに液抜き穴をあけた後にドリルを後退させても、ドリルの筒状刃がソケットから抜け出ないことになる。従って、ドリル後退時にドリルがソケットから外れることによる液漏れの危険性を回避できる。
【００２６】
請求項４に係る発明は、ゲートバルブ等から万一、液漏れが発生した場合でも、取付板と液受け容器とからなる密閉容器によって、周囲に液が飛散するのを防止できる。
【図面の簡単な説明】
【図１】本発明の液抜き装置で液抜き穴をあけた状態を示す一部切欠端面図である。
【図２】（イ）（ロ）ドリル先端部分を示す断面図、ドリル先端部分を分解した断面図である。
【図３】ケースにボルトを取り付けた部分を拡大断面で示す説明図である。
【図４】ケースにゲートバルブを固定した状態を示す端面図である。
【図５】ゲートバルブにドリルを取り付けた状態を示す端面図である。
【図６】ゲートバルブの開状態を示す端面図である。
【図７】液抜き穴をあけた後のゲートバルブの閉状態を示す端面図である。
【図８】ゲートバルブに配管を接続した状態を示す端面図である。
【符号の説明】
１　ケース
２　取付板
３　ドリル通過孔
５　ゲートバルブ
６　ソケット
７　ドリル
８　液受け
１３　バルブ本体
１４　入口
１５　出口
１７　操作部
２２　軸部
２３　刃部
２４　ねじれ刃
２５　切断片除去スプリング
２６　筒状刃
【図１】
2004090166.tif 000003
【図２】
2004090166.tif 000004
【図３】
2004090166.tif 000005
【図４】
2004090166.tif 000006
【図５】
2004090166.tif 000007
【図６】
2004090166.tif 000008
【図７】
2004090166.tif 000009
【図８】
2004090166.tif 000010